(57)【特許請求の範囲】
【請求項１】
動力伝達ギアボックスに接続された複数のターボシャフトエンジンを備えた多発ヘリコプタの推進システムの構造であって、
前記複数のターボシャフトエンジンのうちの少なくとも１つのターボシャフトエンジンであって、ハイブリッドターボシャフトエンジン（２０）と呼ばれ、ヘリコプタの安定巡航飛行時に少なくとも１つの待機モードで動作可能であり、他のターボシャフトエンジンがこの安定飛行時にのみ動作する少なくとも１つのハイブリッドターボシャフトエンジンと、
各々のハイブリッドターボシャフトエンジン（２０）を制御するための少なくとも２つのシステム（３０、４０）であって、再始動システムと呼ばれ、各々のシステム（３０、４０）が、前記ハイブリッドターボシャフトエンジン（２０）に接続されて前記ハイブリッドターボシャフトエンジンを回転させるのに適した電気機械（３１、４１）と、および前記電気機械（３１、４１）用の少なくとも１つの電源（３３、４３、５１）と、を備え、各々の再始動システム（３０、４０）が複数の所定モードのうち少なくとも１つの動作モードで前記ハイブリッドターボシャフトエンジン（２０）を駆動することができるようにそれぞれ構成される、少なくとも２つのシステム（３０、４０）と、
を備えることを特徴とする構造。
【請求項２】
各々のハイブリッドターボシャフトエンジンがガス発生器を備え、前記複数の所定モードが、
迅速再始動モードと呼ばれるモードであって、前記ハイブリッドターボシャフトエンジン（２０）が１０秒未満の時間で前記ハイブリッドターボシャフトエンジンの前記ガス発生器の公称速度の８０％から１０５％の範囲の速度になるまで回転されるモードと、
通常再始動モードと呼ばれるモードであって、前記ハイブリッドターボシャフトエンジン（２０）が１０秒から６０秒の範囲の時間で前記ハイブリッドターボシャフトエンジンの前記ガス発生器の公称速度の８０％から１０５％の範囲の速度になるまで回転されるモードと、
支援超アイドルモードと呼ばれる待機モードであって、前記ハイブリッドターボシャフトエンジン（２０）が前記ハイブリッドターボシャフトエンジンの前記ガス発生器の公称速度の２０％から６０％の範囲の速度で連続して回転される待機モードと、
転換モードと呼ばれる待機モードであって、前記ハイブリッドターボシャフトエンジン（２０）の前記ガス発生器が前記公称速度の５％から２０％の範囲の速度で連続して回転される待機モードと、
を含むことを特徴とする、請求項１に記載の構造。
【請求項３】
前記ハイブリッドターボシャフトエンジン（２０）の前記ガス発生器を前記迅速再始動モードで駆動するように構成された各々の再始動システム（３０、４０）が、エネルギー貯蔵ユニット（３３、４３）で形成される電源を備え、
前記ハイブリッドターボシャフトエンジン（２０）の前記ガス発生器を前記通常再始動モードもしくは待機モードで駆動するように構成された各々の再始動システム（３０、４０）が、ヘリコプタの機内回路網（５１）で形成される電源を備える
ことを特徴とする、請求項２に記載の構造。
【請求項４】
前記機内回路網（５１）が、航空機の適合する交流電圧を供給するように構成された回路網であることを特徴とする、請求項３に記載の構造。
【請求項５】
迅速再始動モード、通常再始動モード、および少なくとも１つの待機モードで前記ハイブリッドターボシャフトエンジンを駆動することができるように構成された少なくとも１つの第１の再始動システム（３０）と、
前記通常再始動モードで前記ハイブリッドターボシャフトエンジンを駆動することができるように構成された少なくとも１つの第２の再始動システム（４０）と、
を備えることを特徴とする、請求項１から請求項４のいずれかに記載の構造。
【請求項６】
前記第２の再始動システム（４０）がさらに、前記迅速再始動モードで前記ハイブリッドターボシャフトエンジンを駆動することができるように構成されることを特徴とする、請求項５に記載の構造。
【請求項７】
迅速再始動モードおよび通常再始動モードの両方で前記ハイブリッドターボシャフトエンジンを駆動することができるように構成された少なくとも１つの第１の再始動システム（３０）と、
前記待機モードで前記ハイブリッドターボシャフトエンジンを駆動することができるように構成された少なくとも１つの第２の再始動システム（４０）と
を備えることを特徴とする、請求項１から請求項４のいずれかに記載の構造。
【請求項８】
前記第２の再始動システム（４０）がさらに、前記通常再始動モードで前記ハイブリッドターボシャフトエンジン（２０）を駆動することができるように構成されることを特徴とする、請求項７に記載の構造。
【請求項９】
請求項１から請求項８のいずれかに記載の構造を有することを特徴とする推進システムを備えたヘリコプタ。
【発明の詳細な説明】
【技術分野】
【０００１】
本発明は、多発ヘリコプタ、特に、双発もしくは三発ヘリコプタの推進システムの構造に関し、そのような構造を有する推進システムを備えたヘリコプタに関する。
【背景技術】
【０００２】
周知のように、双発もしくは三発ヘリコプタは、２機もしくは３機のターボシャフトエンジンを備えた推進システムを有し、各々のターボシャフトエンジンは、ガス発生器と、ガス発生器によって回転され、出力軸に剛接合されたフリータービンとを備える。各々のフリータービンの出力軸は、動力伝達ギアボックスの運動を引き起こすのに適しており、動力伝達ギアボックス自体はヘリコプタのロータを駆動する。
【０００３】
ヘリコプタが巡航飛行状態にある時（すなわち、離陸、上昇、着陸もしくはホバリング飛行の移行段階を除いて、全飛行段階で通常の条件で前進している時）、ターボシャフトエンジンは連続最大出力未満の低レベルの出力を発生させることが周知である。これらの低レベルの出力は、ターボシャフトエンジンの燃焼室の時間当たりの燃料消費量とターボシャフトエンジンによって供給される機械力との比率として定義される燃料消費率（以降、ＳＣとする）であって、離陸最大出力のＳＣより約３０％高い燃料消費率につながり、したがって、巡航飛行時に燃料の過剰消費につながる。
【０００４】
さらに、ヘリコプタのターボシャフトエンジンは、エンジンの１機に不具合が生じた場合にヘリコプタを飛行状態で維持することができるように、大型になるように設計される。この飛行状態は、エンジンの損失後に発生し、結果として、各々の動作エンジンが公称出力をはるかに超える出力レベルを供給することになり、ヘリコプタは危険な状態に対処して、飛行を継続することができる。
【０００５】
ターボシャフトエンジンはさらに、航空機メーカーによって規定された飛行範囲全体にわたって確実に飛行することができるように、特に、高い高度で、かつ暑い気候で飛行できるように、大型にされる。要求水準の高いこれらの飛行点は、特に、ヘリコプタの重量が最大離陸重量に近い場合、特定の使用状況のみで発生する。
【０００６】
これらの大型ターボシャフトエンジンは、重量および燃料消費量の点で不利である。このような巡航飛行時の燃料消費量を低減するために、飛行時にターボシャフトエンジンの少なくとも１つを待機状態にすることが想定される。動作エンジン（単数もしくは複数）は、その後、全ての必要な動力を供給するために、より高い出力レベルで動作し、したがって、より好ましいＳＣレベルで動作する。
【０００７】
仏国特許出願公開第２９６７１３３号明細書および仏国特許出願公開第３０１１５８７号明細書において、本出願人は、ターボシャフトエンジンの少なくとも１機を安定飛行モード（連続飛行モードとして周知である）にして、ターボシャフトエンジンの少なくとも１機を特定の待機モードにする（必要に応じて、迅速にもしくは通常の方式で、待機モードから退出することができる）という任意選択によって、ヘリコプタのターボシャフトエンジンの燃料消費率を最適化する方法を提案している。
【０００８】
待機モードからの退出は、飛行状態の変化が待機状態のターボシャフトエンジンの始動を必要とする場合、例えば、ヘリコプタが巡航飛行状態から着陸段階に移行している時に、「通常」とされる。このような待機モードからの通常退出は、１０秒から１分の時間で行われる。待機モードからの退出は、動作しているエンジンの出力の不具合もしくは不足が発生した場合に、もしくは飛行条件が突然困難な条件になった場合に、「迅速」とされる。このような待機モードからの緊急退出は、１０秒未満で行われる。
【０００９】
本出願人は、待機状態のターボシャフトエンジンを再始動させて、電気機械を使用する待機モードから（通常の方式でもしくは迅速に）退出させることができるシステムをすでに提案している。この電気機械は、ヘリコプタの機内回路網（以降、ＯＢＮとする）によって電力供給されることができ、ＯＢＮは、直流電圧２８ボルトの回路網および／または航空機の適合する交流電圧に接続された適切なパワーエレクトロニクス機器によって電圧が供給される回路網である。特定の待機モードの間、ターボシャフトエンジンを機械的に支援するために電気機械を使用することもまた提案されている。
【００１０】
したがって、本発明者は、待機モードになるのに適した少なくとも１つのターボシャフトエンジンと、電気機械を備えるターボシャフトエンジンを再始動させるシステムとを備える推進システムの構造の性能を向上させることを追求した。
【００１１】
特に、本発明者は、利用可能性が非常に高い再始動システムを実現することができる新奇な推進システム構造を提案することを追求した。さらに、本発明者は、待機状態のターボシャフトエンジンを再始動させるシステムの不具合を検出することができる新奇な構造を提案することを追求した。
【先行技術文献】
【特許文献】
【００１２】
【特許文献１】仏国特許出願公開第２９６７１３３号明細書
【特許文献２】仏国特許出願公開第３０１１５８７号明細書
【発明の概要】
【発明が解決しようとする課題】
【００１３】
本発明の目的は、多発ヘリコプタの推進システムの新奇な構造を提供することである。
【００１４】
さらに、本発明の目的は、少なくとも一実施形態では、待機状態にすることができるように構成されたターボシャフトエンジンと、先行技術のシステムと比べて利用可能性が向上した再始動システムとを備えた多発ヘリコプタの推進システムの構造を提供することである。
【００１５】
さらに、本発明の目的は、少なくとも一実施形態では、再始動システムの不具合を検出することができる構造を提供することである。
【００１６】
また、本発明の目的は、本発明の構造を有する推進システムを備えたヘリコプタを提供することである。
【課題を解決するための手段】
【００１７】
上記目的を達成するために、本発明は、動力伝達ギアボックスに接続されたターボシャフトエンジンを備えた多発ヘリコプタの推進システムの構造に関し、多発ヘリコプタ推進システムの構造であって、
前記ターボシャフトエンジンのうちの少なくとも１つのターボシャフトエンジンであって、ハイブリッドターボシャフトエンジンと呼ばれ、ヘリコプタの安定飛行時に少なくとも１つの待機モードで動作可能であり、他のターボシャフトエンジンがこの安定飛行時にのみ動作する、少なくとも１つのターボシャフトエンジンと、
各々のハイブリッドターボシャフトエンジンを制御するための少なくとも２つのシステムであって、再始動システムと呼ばれ、各々のシステムがハイブリッドターボシャフトエンジンに接続されて前記ハイブリッドターボシャフトエンジンを回転させることができるように設計された電気機械と、および前記電気機械用の少なくとも１つの電源と、を備え、各々の再始動システムが複数の所定モードのうち少なくとも１つの動作モードで前記ターボシャフトエンジンを駆動することができるようにそれぞれ構成される、少なくとも２つのシステムと、
を備えることを特徴とする構造に関する。
【００１８】
したがって、本発明の構造により、待機モードで動作可能なハイブリッドターボシャフトエンジンを再始動させるシステムを少なくとも二重構造にすることができる。したがって、本発明の構造の再始動システムは、少なくとも２つの別個の電気機械を備え、各々の電気機械は、複数の所定モードから選択された少なくとも１つの動作モードへとターボシャフトエンジンを駆動することができるように構成された少なくとも別個の２つの再始動システムを形成するためにハイブリッドターボシャフトエンジンに接続される。
【００１９】
本発明の意味の範囲でのハイブリッドターボシャフトエンジンとは、要求に応じて、意図的に、少なくとも１つの所定の待機モードにすることができ、待機モードから通常の方式でもしくは迅速に（緊急とも呼ばれる）退出することができるように構成されたターボシャフトエンジンのことである。ターボシャフトエンジンは、ヘリコプタの安定飛行時のみ、すなわち、ヘリコプタのターボシャフトエンジンに不具合がない場合、巡航飛行状態の間、通常の条件で前進している時に、待機モードになることができる。待機モードからの退出は、条件に必要な退出モード（通常待機退出モード、もしくは緊急退出とも呼ばれる迅速待機退出モード）に対応した方法で駆動することによってターボシャフトエンジンをガス発生器加速モードに変化させることである。
【００２０】
有利には、本発明によれば、ターボシャフトエンジンがガス発生器を備える場合、前記複数の所定モードは、
迅速再始動モードと呼ばれるモードであって、前記ターボシャフトエンジンが待機モードから１０秒未満の時間で前記ターボシャフトエンジンの前記ガス発生器の公称速度の８０％から１０５％の範囲の速度になるまで回転されるモードと、
通常再始動モードと呼ばれるモードであって、前記ターボシャフトエンジンが待機モードから１０秒から６０秒の範囲の時間で前記ターボシャフトエンジンの前記ガス発生器の公称速度の８０％から１０５％の範囲の速度になるまで回転されるモードと、
支援超アイドルモードと呼ばれる待機モードであって、ターボシャフトエンジンが前記ターボシャフトエンジンの前記ガス発生器の公称速度の２０％から６０％の範囲の速度で連続して回転される待機モードと、
転換モードと呼ばれる待機モードであって、ターボシャフトエンジンが前記ターボシャフトエンジンの前記ガス発生器の公称速度の５％から２０％の範囲の速度で連続して回転される待機モードと、
を含む。
【００２１】
有利には、本発明によれば、前記ヘリコプタが少なくとも１つの機内回路網を備える場合、前記ターボシャフトエンジンを前記迅速再始動モードで駆動するように構成された各々の再始動システムは、エネルギー貯蔵ユニットで形成される電源を備え、前記ターボシャフトエンジンを前記通常再始動モードもしくは待機モードで駆動するように構成された各々の再始動システムは、ヘリコプタの機内回路網で形成される電源を備える。
【００２２】
エネルギー貯蔵ユニットにより、待機モードから迅速に退出するためにターボシャフトエンジンに必要なエネルギーに対応した十分な量の電力を供給することができる。したがって、貯蔵ユニットは、ターボシャフトエンジンの迅速な再始動のための再始動システムに非常に適している。
【００２３】
機内回路網により、例えば、ターボシャフトエンジンが待機状態になる前に、離陸前の地上および飛行中の両方で、対応する再始動システムを検査することができる。さらに、このようなエネルギー源は、通常の再始動条件下でハイブリッドターボシャフトエンジンを再開させるための電気機械に電力を供給するのに十分である。
【００２４】
有利には、本発明によれば、前記機内回路網は、航空機の適合する交流電圧を供給するように構成された回路網である。
【００２５】
本発明の第１の有利な変形形態によれば、構造は、
迅速再始動モード、通常再始動モード、および少なくとも１つの待機モードで前記ターボシャフトエンジンを駆動することができるように構成された少なくとも１つの第１の再始動システムと、
前記通常再始動モードでのみ前記ターボシャフトエンジンを駆動することができるように構成された少なくとも１つの第２の再始動システムと、
を備える。
【００２６】
上記形態を実現するためには、実際に、第１のシステムは、２つの別個の電気エネルギー源、すなわち、エネルギー貯蔵ユニットとヘリコプタの機内回路網とに接続される。第２のシステムも機内回路網に接続される。
【００２７】
この変形形態によれば、第１の再始動システムと第２の再始動システムは共に、ターボシャフトエンジンの通常の再始動に対応するものである。したがって、これらの再始動システムは、これらのシステムの利用可能性をチェックするために、始動ごとに交互に呼び出されることができる。
【００２８】
第１の再始動システムは、さらに、迅速再始動モードおよび待機モードの両方のために構成される。したがって、待機モードの時に、第１の再始動システムが呼び出され、このことが、迅速な始動に備えて、システムをテストする役割を果たす。したがって、待機モードの時にシステムの故障がないことがチェックされる。
【００２９】
第１のシステムが利用不可能である場合、ハイブリッドターボシャフトエンジンの通常の再始動のために第２のシステムが呼び出される。
【００３０】
ハイブリッドターボシャフトエンジンの迅速な再始動の時に、第１のシステムが呼び出され、第２のシステムは、必要に応じて、追加の動力を供給することができる。
【００３１】
第１の変形形態と組み合わせて、第２のシステムはさらに、前記迅速再始動モードでターボシャフトエンジンを駆動することができるよう構成されることができる。上記形態を実現するためには、第２のシステムは、実際には、第２の電気エネルギー貯蔵ユニットに接続される。
【００３２】
したがって、この特定の変形形態の構造は、ターボシャフトエンジンを迅速に再始動させることができる２つの利用可能な別個の再始動システムを有する。したがって、一方の迅速再始動システムの不具合がある場合には、他方のシステムが不具合を補償することができる。
【００３３】
本発明の第２の有利な変形形態によれば、構造は、
迅速再始動モードおよび通常再始動モードの両方で前記ターボシャフトエンジンを駆動することができるように構成された少なくとも１つの第１の再始動システムと、
前記待機モードでのみ前記ターボシャフトエンジンを駆動することができるように構成された少なくとも１つの第２の再始動システムと
を備える。
【００３４】
上記形態を実現するためには、第１の再始動システムは、２つの電源、すなわち、エネルギー貯蔵ユニットとヘリコプタの機内回路網とを備え、第２の再始動システムは、機内回路網に直接接続される。
【００３５】
第１のシステムは、システムの利用可能性をチェックするために始動時に呼び出される。第２のシステムは、待機モードにおいて、迅速再始動に割り当てられたシステムにおける損耗の発生を避けるために呼び出される。第２のシステムが利用できなくなると、第１のシステムに切り替わり、ターボシャフトエンジンが再始動される。
【００３６】
第２の変形形態と組み合わせて、第２のシステムはさらに、前記通常再始動モードでターボシャフトエンジンを駆動することができるよう構成されることができる。上記形態を実現するために、第２のシステムは、機内回路網に接続される。
【００３７】
この変形形態は、第１のシステムの不具合が生じた場合に、第２のシステムがターボシャフトエンジンの通常再始動を実行することができるという点で、特に有利である。
【００３８】
さらに、２つのシステムはいつでもテストが可能である。
【００３９】
また、本発明は、本発明の構造を有することを特徴とする推進システムを備えたヘリコプタに関する。
【００４０】
さらに、本発明は、多発ヘリコプタの推進システムの構造、および該構造を有する推進システムが装備されたヘリコプタに関し、該構造およびヘリコプタは、上述もしくは後述の特徴の全てもしくはいくつかの組み合わせを有することを特徴とする。
【００４１】
本発明の他の目的、特徴、および利点は、単なる非限定的な例として示され、添付図面に関して述べられた以下の説明を読めば明らかになるであろう。
【図面の簡単な説明】
【００４２】
【図１】単一制御システムによって制御されるターボシャフトエンジンを備える先行技術の構造の概略図である。
【図２】先行技術の別の構造の概略図である。
【図３】本発明の一実施形態の構造の概略図である。
【図４】本発明の別の実施形態の構造の概略図である。
【図５】本発明の別の実施形態の構造の概略図である。
【図６】本発明の別の実施形態の構造の概略図である。
【図７】本発明の別の実施形態の構造の概略図である。
【発明を実施するための形態】
【００４３】
以下で説明する実施形態は、本発明を実施するためのいくつかの例である。以下の詳細な説明は、１つ以上の実施形態に関するものであるが、必ずしもそれぞれの説明がいくつかの実施形態に関連しているというわけではなく、または必ずしも特徴が１つの実施形態にのみ適用されるというわけではない。異なる実施形態の個々の特徴は、他の実施形態を導き出すために組み合わされることもできる。また、図面において、説明および明瞭化のために、縮尺比および比率は必ずしも正確であるとは言えない。
【００４４】
図１は、ターボシャフトエンジン１０と前記ターボシャフトエンジンを制御するための制御システムとを備えた周知のヘリコプタ推進システムの構造の概略図である。制御システムは、要求に応じて、ターボシャフトエンジン１０を確実に始動させるためにターボシャフトエンジン１０を回転させるのに適した電気機械１１を備える。電気機械１１は、ヘリコプタの低電圧機内回路網１２（一般的には、２８ボルト直流電圧を供給する回路網である）から直接電力を引き込む。
【００４５】
図２は、ターボシャフトエンジン１０と前記ターボシャフトエンジンを制御するための別の制御システムとを備えた周知のヘリコプタ推進システムの構造の概略図である。制御システムは、要求に応じて、ターボシャフトエンジン１０を確実に始動させるためにターボシャフトエンジン１０を回転させるのに適した電気機械１１を備える。電気機械１１は、航空機の対応した交流高電圧機内回路網１４から電力を引き込む。制御システムはさらに、機内回路網１４によって供給された交流高電圧を電気機械１１を制御するための電圧に変換するように設計された電力変換モジュール１３を備える。
【００４６】
図１および図２の構造を有するターボシャフトエンジン１０は、通常、地上で始動される。この構造のターボシャフトエンジンの飛行中の再始動は、例外的な事象である。
【００４７】
図３から図７は、少なくとも１つのターボシャフトエンジンを待機状態にして、飛行時に再始動させることができる本発明の構造を示している。さらに、提案されている構造により、再始動動作が確実になり、異なる再始動システムを定期的にテストすることができる。
【００４８】
図３から図７では、ハイブリッドターボシャフトエンジンのみが示されているが、多発エンジン構造において、特に、双発もしくは三発構造において、構造は、少なくとも１つがハイブリッドターボシャフトエンジンである複数のターボシャフトエンジンを備えることが理解できる。
【００４９】
本発明の構造は、動力伝達ギアボックス（図示せず）に接続される複数のターボシャフトエンジンを備える。
【００５０】
複数のターボシャフトエンジンのうち、ハイブリッドターボシャフトエンジン２０と呼ばれる少なくとも１つのターボシャフトエンジンは、ヘリコプタの巡航飛行時に少なくとも１つの待機モードで動作することができる。
【００５１】
図３から図７に示されている実施形態によれば、構造は、ハイブリッドターボシャフトエンジン２０を再始動させるための２つのシステム３０、４０を備える。以下の説明全体において、参照番号３０で示されている再始動システムを第１の再始動システムとし、参照番号４０で示されている再始動システムを第２の再始動システムとする。
【００５２】
また、本明細書において、図３から図７では第１および第２の再始動システムを指すのに同じ参照番号３０、４０を使用しているが、再始動システムは実施形態によって同一でない場合があるものとする。
【００５３】
各々の再始動システム３０、４０は、複数の所定のモードのうち少なくとも１つの動作モードでターボシャフトエンジン２０を駆動することができるように構成される。
【００５４】
ガス発生器を備えるターボシャフトエンジンの場合、所定モードは少なくとも、
迅速再始動モードと呼ばれるモードであって、ターボシャフトエンジン２０が待機モードから１０秒未満の時間内でターボシャフトエンジンのガス発生器の公称速度の８０％から１０５％の範囲の速度になるまで回転されるモードと、
通常再始動モードと呼ばれるモードであって、ターボシャフトエンジン２０が待機モードから１０秒から６０秒の範囲の時間内でターボシャフトエンジンのガス発生器の公称速度の８０％から１０５％の範囲の速度になるまで回転されるモードと、
支援超アイドルモードと呼ばれる待機モードであって、ターボシャフトエンジン２０がターボシャフトエンジンのガス発生器の公称速度の２０％から６０％の範囲の速度で連続して回転される待機モードと、
転換モードと呼ばれる待機モードであって、ターボシャフトエンジン２０が前記公称速度の５％から２０％の範囲の速度で連続して回転される待機モードと、
を含む。
【００５５】
図３において、第１の再始動システム３０は、電気機械３１と、電力変換装置３２と、電気エネルギー貯蔵ユニット３３と、機内回路網５１とを備える。第２の再始動システム４０は、電気機械４１と、電力変換装置４２と、第１の再始動システム３０と共有される機内回路網５１とを備える。
【００５６】
この実施形態では、第１の再始動システム３０が、迅速再始動モード（貯蔵ユニット３３からのエネルギーを使用）、通常再始動モード（機内回路網５１もしくは貯蔵ユニット３３からのエネルギーを使用）、または少なくとも１つの待機モード（機内回路網５１からのエネルギーを使用）のうちのいずれかのモードでターボシャフトエンジン２０を駆動することができる。さらに、この実施形態では、第２の再始動システム４０が、前記通常再始動モード（機内回路網５１からのエネルギーを使用）でターボシャフトエンジン２０を駆動することができる。
【００５７】
この実施形態によれば、第１および第２のシステムは、これらのシステムの利用可能性をチェックするために始動ごとに交互に呼び出されることができる。
【００５８】
第１のシステムはさらに、迅速再始動モードおよび待機モード用に構成されるので、ターボシャフトエンジン２０の待機モードへ移行することで、システム３０のインテグリティをテストすることができ、したがって、システム３０によるターボシャフトエンジン２０の迅速な再始動を妨げる異常を検出することができる。異常が検出された場合、ハイブリッドターボシャフトエンジン２０の通常の再始動のために第２のシステム４０が呼び出される。
【００５９】
第１の再始動システム３０によるハイブリッドターボシャフトエンジン２０の迅速な再始動の間に、第２のシステム４０は、必要に応じて、追加の動力を供給することができる。
【００６０】
図４に示されている構造は、図３に示されている構造の変形形態である。この構造は、図３に関して説明した要素の他に、第２の再始動システム４０内に配置される第２の貯蔵ユニット４３を備える。
【００６１】
したがって、この実施形態では、第２の再始動システム４０はさらに、迅速再始動モード（貯蔵ユニット４３からのエネルギーを使用）でターボシャフトエンジン２０を駆動することができる。
【００６２】
したがって、この構造は、冗長構造であり、高い利用可能性を有する。
【００６３】
図５では、第１の再始動システム３０は、電気機械３１と、電力変換装置３２と、電気エネルギー貯蔵ユニット３３と、機内回路網５１（例えば、１１５ボルトの交流電圧を供給する機内回路網）とを備える。第２の再始動システム４０は、電気機械４１、電力変換装置４２、機内回路網５２（例えば、２８ボルトの直流電圧を供給する回路網）、第１の再始動システム３０と共有される機内回路網５１、および任意選択で、電気エネルギー貯蔵ユニット５３を備える。
【００６４】
この実施形態では、第１の再始動システム３０が、迅速再始動モード（貯蔵ユニット３３からのエネルギーを使用）、通常再始動モード（機内回路網５１もしくは貯蔵ユニット３３からのエネルギーを使用）、または待機モードでターボシャフトエンジン２０を駆動することができる。さらに、この実施形態では、第２の再始動システム４０は、通常再始動モード（機内回路網５２もしくは任意選択の貯蔵ユニット５３からのエネルギーを使用または機内回路網５１からのエネルギーを使用）でターボシャフトエンジン２０を駆動することができる。特に、この特定の構造により、ターボシャフトエンジン２０を再始動させるための第２のシステム４０は、高い電力レベル（例えば、１０ｋＷより高いレベル）用の機内回路網５１を使用し、低い電力レベル（例えば、１０ｋＷ未満のレベル）用の機内回路網５２を使用することができる。
【００６５】
図６において、第１の再始動システム３０は、電気機械３１と、電力変換装置３２と、電気エネルギー貯蔵ユニット３３とを備える。第２の再始動システム４０は、電気機械４１と、電力変換装置４２と、機内回路網５１とを備える。
【００６６】
この実施形態では、第１の再始動システム３０は、迅速再始動モード（貯蔵ユニット３３からのエネルギーを使用）でターボシャフトエンジン２０を駆動することができる。さらに、この実施形態では、第２の再始動システム４０は、待機モード（機内回路網５１からのエネルギーを使用）もしくは通常再始動モードでターボシャフトエンジン２０を駆動することができる。
【００６７】
図７において、第１の再始動システム３０は、電気機械３１と、電力変換装置３２と、電気エネルギー貯蔵ユニット３３と、機内回路網５１とを備える。第２の再始動システム４０は、電気機械４１と、電力変換装置４２と、第１のシステム３０と共有される機内回路網５１とを備える。
【００６８】
この実施形態では、第１の再始動システム３０は、迅速再始動モード（貯蔵ユニット３３からのエネルギーを使用）および通常再始動モード（機内回路網５１もしくは貯蔵ユニット３３からのエネルギーを使用）でターボシャフトエンジン２０を駆動することができる。さらに、この実施形態では、第２の再始動システム４０は、待機モードもしくは通常再始動モード（機内回路網５１からのエネルギーを使用）でターボシャフトエンジン２０を駆動することができる。
【００６９】
変形形態では、第２のシステムは、待機モード（機内回路網５１からのエネルギーを使用）でのみターボシャフトエンジン２０を駆動するように構成されることができる。
【００７０】
この構造の利点は、電力最適型電気機械を使用することができるという点であり、特に、電気機械４１では、その唯一の機能は、待機モードにすることである。
【００７１】
それぞれのモードに対して、再始動システムの制御は、Ｆｕｌｌ  Ａｕｔｈｏｒｉｔｙ  Ｄｉｇｉｔａｌ  Ｅｎｇｉｎｅ  Ｃｏｎｔｒｏｌの頭文字ＦＡＤＥＣとして周知のターボシャフトエンジン制御システムによって支配される。
【００７２】
本発明は、記載されている実施形態のみに限定されない。特に、本発明は、複数のハイブリッドターボシャフトエンジンを備えてよく、各々のターボシャフトエンジンには、上述されているような独自の少なくとも２つの再始動システムが装備される。
【図１】
0006639510.tif 000002
【図２】
0006639510.tif 000003
【図３】
0006639510.tif 000004
【図４】
0006639510.tif 000005
【図５】
0006639510.tif 000006
【図６】
0006639510.tif 000007
【図７】
0006639510.tif 000008